(57)【要約】［課題］電気毛布が、使用中にずり上がったり捲れて団子になったりして困っている。そのため、電気毛布の売行きは停滞してしまっている。これに対策したい。［解決手段］袋式包布において、掛け布団の下に電気毛布を敷く態に、それらを左右両サイドから入れ出ししうるようにするために、その両サイドにスライダーを２個設けたファスナーを設け、電気毛布のコードを、左右どちらのサイドでも、その取付け位置に応じて、上下両スライダーを閉めえて、その両者の間から、外へ出せうるようにした、掛け布団・電気毛布重ね入れ用包布。【選択図】なし。【特許請求の範囲】
【請求項１】
袋式包布において、掛け布団の下に電気毛布を敷く態に、それらを左右両サイドから入れ出ししうるようにするために、その両サイドにスライダーを２個設けたファスナーを設け、電気毛布のコードを、左右どちらのサイドでも、その取付け位置に応じて、上下両スライダーを閉めえて、その両者の間から、外へ出せうるようにした、掛け布団・電気毛布重ね入れ用包布。
【発明の詳細な説明】
【０００１】
［発明の属する技術分野］
本発明は包布に関するものである。
【０００２】
［従来の技術］
従来、包布は掛け布団を包むだけの目的のもので、本発明のような使い方をしようと言う思想はなかった。
【０００３】
［発明が解決しようとする課題］
私はもう３０年近くも電気毛布を使用しているが、これも毛布の一であって、掛け布団の下に掛けて使っていると、毛布と同じように、どうしてもずり上がったり、捲れて団子になったりして、目覚めた場合、掛け布団の下でちゃんと体を覆っていることは殆どない。
【０００４】
［課題を解決するための手段］
毛布と違って、掛け布団は厚いので捲れて団子になることはない。そこで電気毛布のずり上がりや捲れ団子を防ぐには、掛け布団に電気毛布をぴったりと重ね付けておけるようにすると宜しい。いろいろな方法が考えられるが、最も手軽な方法として、包布の中に掛け布団と重ねて入れるようにすることを発想した。
【０００５】
［発明の実施の形態］
本発明は「特許請求の範囲」に簡潔に述記してある。
【０００６】
［発明の効果］
本発明によって、電気毛布が発明されて以来の懸案であった問題が解決されることになった。その難点のため、今日電気毛布の売行きは大きな低迷に陥っているらしく、電気スーパーの店頭でも影は薄くなっている。本発明によって、電気毛布は以前の最盛期を上回る売行きを取り戻すことになろう。
現代人は、一般に昔に比べて睡眠時間が短くなることを余儀なくされている。その短い時間で精神・肉体の疲労を十分に回復しなくてはならない。
その疲労回復の生理作用は間違いなく化学反応によっている。この反応を能くするには、温度を上げるか、触媒を能くする以外にない。昼間も勿論であるが、特に就寝中の暖かさが十分でなくてはならない。電気毛布はそのための最も手軽で安価な手段である。私は子供から老人までの全ての人に勧めたい。
そして、もう一つは栄養素である炭水化物・脂肪・蛋白質・ビタミン・ミネラルなどを必要にして十分摂った上で、それらが消化・呼吸において化学反応する際の触媒となる酵素が必要にして十分である必要がある。
その酵素は多種多様であり、現在飲用剤として出回っているものは極めて少ない。
戦後この方、ビタミン剤はいろいろな形で広く出回っているが、概してその効果は顕現的ではなく、疲労がすっきり回復すると言った感じは出ない。
疲労回復剤としての酵素剤の開発が待望される。特に消化吸収された栄養素が細胞内で代謝されるのを助けるものが欲しい。そして勿論エネルギー代謝における酸素の供給と炭酸ガスの排出を促進する酵素剤も待望される。
しかし、当面としては、それら代謝を促進して疲労回復するには、栄養をよく摂り、一杯飲んで、暖かくして休むのが一番である。
現在の電気毛布に要求されていることは、寝室の温度変化に応じて、寝床内の温度が自動的に一定化するようになることである。これを是非やってみたい。
【手続補正書】
【提出日】平成14年12月6日(2002.12.6)
【手続補正１】
【補正対象書類名】明細書
【補正対象項目名】特許請求の範囲
【補正方法】変更
【補正の内容】
【特許請求の範囲】
【請求項１】
上下の別の決っている袋式包布において、掛け布団の下に電気毛布を敷く態に、それら布団と毛布を左右両サイドから入れうるように、その両サイドにスライダーを２個設けたファスナーを設け、それら布団と毛布を入れた場合、電気毛布のコードを、左右どちらのサイドでも、そのコードの取付け位置に応じて、上下両スライダーを閉めえて、その両スライダーの間から、外へ出せうるようにした、掛け布団・電気毛布重ね入れ用包布。
【請求項２】
上下の別のない袋式包布において、掛け布団の下に電気毛布を敷く態に、それら布団と毛布を左右どちらかの片サイドから入れうるように、その片サイドにスライダーを２個設けたファスナーを設け、それら布団と毛布を入れた場合、電気毛布のコードを、そのコードの取付け位置に応じて、上下両スライダーを閉めえて、その両スライダーの間から、外へ出しうるように、使用しうるようにした、掛け布団・電気毛布重ね入れ用包布。
【手続補正２】
【補正対象書類名】明細書
【補正対象項目名】０００６
【補正方法】変更
【補正の内容】
【０００６】
［発明の効果］
尚、「請求項２」の本発明、即ち「片サイド開きの２スライダー付ファスナー付きの包布」は、以前から既に存在しており、私も使用している。しかし、それは、掛け布団だけに用いる目的のものであって、今日まで、本発明のように使用方法を発明した人はいない。




【手続補正書】
【提出日】平成15年3月11日(2003.3.11)
【手続補正１】
【補正対象書類名】明細書
【補正対象項目名】特許請求の範囲
【補正方法】変更
【補正の内容】
【特許請求の範囲】
【請求項１】
上下の別の決っている袋式包布において、掛け布団の下に電気毛布を敷く態に、それら布団と毛布を左右両サイドから入れうるように、その両サイドにスライダーを２個設けたファスナーを設け、それら布団と毛布を入れた場合、電気毛布のコードを、左右どちらのサイドでも、そのコードの取り付け位置に応じて、上下両スライダーを閉めえて、その両スライダーの間から、外へ出せうるようにした、掛け布団・電気毛布重ね入れ用包布。
【請求項２】
「請求項１」における「掛け布団・電気毛布重ね入れ用包布」と同じ目的を果すものとして、そこで、包布を上布と下布の二枚に分けて考え、先ず、下布を敷いて、その上に電気毛布を敷き、その上に掛け布団を敷き、その上に上布を重ねて、上布と下布の四辺の縁を、左回りと右回りの２個のスライダーを設けた亦左回り右回り共に開金具を設けた「オープンファスナー」で以てかがれるようにして、電気毛布のくちゃくちゃに捲れるのを、布団の厚さによる捲れなさを利用して、両者を一体化することで以て防止しうるようにした、電気毛布防捲用包布。
なお、この電気毛布防捲用包布の布は、キャラコ、ブロード、ネル、ベッチン、コーデュロイなどの綿布や、ビロード、フラノ、ケット（毛布）地などの毛織物などの天然繊維素材製品を主としたい。
【請求項３】
「請求項２」における電気毛布防捲用包布において、その四辺の縁の内、首に当る辺は、下布の端を上布の端より長くして、下布の端の内側にオープンファスナーを縫い付けて、閉じた場合に、下布の端が上布の端より外にでているようにし、その出た下布の端を上布に向けて折り返して、オープンファスナー、マジックテープ、ボタンなどで以て上布に固定するようにして、首にオープンファスナーが当るのを防止した、電気毛布防捲用包布。
【請求項４】
「請求項２］における「電気毛布防捲用包布」において、オープンファスナーのスライダーを１個とし、また開金具も１個とした、電気毛布を使用しないで布団だけに用いる場合の、掛け布団用あるいは敷き布団用の包装簡易化包布。
【請求項５】
「請求項３」における「電気毛布防捲用包布」においても、オープンファスナーのスライダーと開金具とを各々１個とした、電気毛布を使用しないで布団だけに用いる場合の、掛け布団用あるいは敷き布団用の包装簡易化包布。
【手続補正２】
【補正対象書類名】明細書
【補正対象項目名】０００６
【補正方法】変更
【補正の内容】
【０００６】
［発明の効果］
本発明においては、「請求項２」か或いは「請求項３」かの「電気毛布防捲用包布」が主流となると考えられる。
と言うのは、「掛け布団・電気毛布重ね入れ用包布」を使用してみると、使わない時ほどではないが、電気毛布が包布の中で矢張り捲れてしまう。その度にそれを直すのに便利なものにして置かなくてはならない。
いろいろ考えて見たが、今の所では、「電気毛布防捲用包布」が、最良の案のように思える。
昔と違って、今の布団は極めて簡単に縫製されるようになり、包布を使用しなかった時代においては装飾的に作っていたのであるが、そう言う有り方は廃れてしまった。
戦後の一時期まで、布団は包布を用いないで使用されていた。年に一度夏の土用に、布団を全部解いて、側を洗い糊付けして、外庭に筵を敷いて干して、また布団に仕立て直していた。
従って、布団の表には、自家機織りの江戸時代から、いろいろな装飾的工夫を凝らして来た。覆って隠すと言うことはなかったのである。
しかし、私の場合では、早稲田に入学して、親許を離れてからは、包布はなくてはならないものになった。今では、すっぽり包むものが主流となっているようである。
従って、布団の素材や柄などは全く問題にならなくなっている。それにも拘らず、包布の表を美しく飾ろうと言う発想は全く無いようである。
家庭用においても、包布は、病院などのものと大きな違いはなく、キャラコなどの薄手の綿布で出来たものばかりである。
そこで、本発明の開発に当っては、季節季節を配慮しながら、薄手から厚手まで、即ちキャラコからビロードまでを使用して、昔の布団の表に優る装飾性のあるものに制作してみたい。勿論、織り柄やプリント柄も多用したい。
そして、ホテル・旅館用や病院用には、「請求項４」か「請求項５」かの「包装簡易化包布」が徐々に好評を博して行くようにしたい。
私は、過去何回も、不本意な入院をさせられた。一週間に一度ある包布の取り替えは大変であった。袋式のものに横から布団を入れるのであるが、四隅まで奇麗になかなか入らなかった。
本発明だと、下布の上に布団、その上に上布と重ねて行って、オープンファスナーを閉めればよいのであるから、お年寄りなどにも楽に作業して貰うことが出来よう。
今日、世界的に繊維産業は、質的低下を来している。その一は、洗濯機の普及に余りにも迎合する余り、化繊中心主義と化し、紡績、機織、染色、柄付け、縫製の全てに亘って、複雑性が無くなり、化繊向きの技術のみに然も単純画一的に進展してきたからである。
その結果、繊維製品は損傷されると言うことが余り無くなり、私などは空き巣泥棒を使って持って行かれて、販促の犠牲に会わなくてはならない始末である。昔の天然素材の繊維製品は、ある一定の耐用期限が来ると、自然的に破損していた。そして、天然素材は自然リサイクル的に幾らでも増産可能であった。今日のように、世の中が開け、繊維製品に対する需要が膨大化したとは言え、一般用の需要には十分応えられるのではあるまいか。
アメリカの農産物だけに我国経済が作られるのではなく、広く世界の農業原材料に目を向けて、農産国との共栄を図らないと、日本製の工業製品はますますアメリカ一辺倒に市場を狭めることになろう。
私は、もう相当以前から、天然繊維の現代生活への適応化を模索して来たが、次から次に湧く発想に追い捲られて、一応の狙いは付けているのであるが、まだ着手出来ないでいる。
兎に角、石油を求めてきて、その天然素材代替物を生産し、天然素材生産国にまで散蒔く在り方には、経済産業省などは全く不要だと言えよう。対策をしては何割かのリペートを毟るだけの存在だと極言すれば言えるのではあるまいか。
国内農業を抑制してまで、アメリカ農産物を輸入することによって、自動車を輸出しなくてはならない産業構造の造り方は、今や完全に限界に達している。私などは、そのために、どれほどの産業泥棒の被害に会っているか計り知れない。それなのに、車一台恩返ししょうとはしない。彼らの精神構造はどういう生き方から形成されて来ているのであろうか。
兎に角、本発明を繊維産業再生の橋頭堡として、天然素材で以て繊維製品の向上感と消費サイクルの適正化を進めたい。
ニューヨークには、１９６０年代、資本金１００万ドル以上の会社が１９５０もウォール街を中心に存在していたと言う。最大は既製服工業で市の中心を中心にして、縫製工場１万余、従業員２１万、生産額世界一を誇っていたと言う（「現代新百科事典（学研・１９６６年）」）。その大産業を漬滅させたのは、勿論化繊による天然繊維の駆逐とその化繊による耐用サイクルの長大化である。その漬滅までの過程は、賃金逓減の過程であり、それは他産業を連れ込んで、アメリカ工業を衰退させて仕舞うことになった。その結果、外国に次々に低賃金を求め回ることになり、それは農産物価格までの足を引っ張り、アメリカ経済は本質的に全くゆとりのないぎりぎりのものに陥っており、今こそその本質に迫る対策を建てない限り、資本主義・自由主義の敗戦は間違いないところに来ている。
勿論、我国も全く同様の敗戦をこのままでは余儀なくされている。勿論これ亦全く同様に、ヨーロッパ諸国もその状態に陥没している。
資本主義・自由主義は、今ほど先の見通せる偉大な指導者の出現を求めざる時代はない。




【手続補正書】
【提出日】平成15年7月7日(2003.7.7)
【手続補正１】
【補正対象書類名】明細書
【補正対象項目名】特許請求の範囲
【補正方法】変更
【補正の内容】
【特許請求の範囲】
【請求項１】
上下の別の決っている袋式包布において、掛け布団の下に電気毛布を敷く態に、それら布団と毛布を左右両サイドから入れうるように、その両サイドにスライダーを２個設けたファスナーを設け、それら布団と毛布を入れた場合、電気毛布のコードを、左右どちらのサイドでも、そのコードの取り付け位置に応じて、上下両スライダーを閉めえて、その両スライダーの間から、外へ出せうるようにした、掛け布団・電気毛布重ね入れ用包布。
【請求項２】
「請求項１」における「掛け布団・電気毛布重ね入れ用包布」と同じ目的を果すものとして、そこで、包布を上布と下布の二枚に分けて考え、先ず、下布を敷いて、その上に電気毛布を敷き、その上に掛け布団を敷き、その上に上布を重ねて、上布と下布の四辺の縁を、左回りと右回りの２個のスライダーを設けた亦左回り右回り共に開金具を設けた「オープンファスナー」で以てかがれるようにして、電気毛布のくちゃくちゃに捲れるのを、布団の厚さによる捲れなさを利用して、両者を一体化することで以て防止しうるようにした、電気毛布防捲用包布。
なお、この電気毛布防捲用包布の布は、キャラコ、ブロード、ネル、ベッチン、コーデュロイなどの綿布や、ビロード、フラノ、ケット（毛布）地などの毛織物などの天然繊維素材製品を主としたい。
【請求項３】
「請求項２」における電気毛布防捲用包布において、その四辺の縁の内、首に当る辺は、下布の端を上布の端より長くして、下布の端の内側にオープンファスナーを縫い付けて、閉じた場合に、下布の端が上布の端より外に出ているようにし、その出た下布の端を上布に向けて折り返して、オープンファスナー、マジックテープ、ボタンなどで以て上布に固定するようにして、首にオープンファスナーが当るのを防止した、電気毛布防捲用包布。
【請求項４】
「請求項２」における「電気毛布防捲用包布」において、オープンファスナーのスライダーを１個とし、また開金具も１個とした、電気毛布を使用しないで布団だけに用いる場合の、掛け布団用あるいは敷き布団用の包装簡易化包布。
【請求項５】
「請求項３」における「電気毛布防捲用包布」においても、オープンファスナーのスライダーと開金具とを各々１個とした、電気毛布を使用しないで布団だけに用いる場合の、掛け布団用の包装簡易化包布。
【請求項６】
「請求項４」における「敷き布団用の包装簡易化包布」において、上布を藺草の畳表で以てした、敷き布団用の包装簡易化包布。事件の表示発明の名称掛け布団・電気毛布重ね入れ用包布
【手続補正書】
【提出日】平成15年7月23日(2003.7.23)
【手続補正１】
【補正対象書類名】明細書
【補正対象項目名】特許請求の範囲
【補正方法】追加
【補正の内容】
【特許請求の範囲】
【請求項１】
上下の別の決っている袋式包布において、掛け布団の下に電気毛布を敷く態に、それら布団と毛布を左右両サイドから入れうるように、その両サイドにスライダーを２個設けたファスナーを設け、それら布団と毛布を入れた場合、電気毛布のコードを、左右どちらのサイドでも、そのコードの取り付け位置に応じて、上下両スライダーを閉めえて、その両スライダーの間から、外へ出せうるようにした、掛け布団・電気毛布重ね入れ用包布。
【請求項２】
「請求項１」における「掛け布団・電気毛布重ね入れ用包布」と同じ目的を果すものとして、そこで、包布を上布と下布の二枚に分けて考え、先ず、下布を敷いて、その上に電気毛布を敷き、その上に掛け布団を敷き、その上に上布を重ねて、上布と下布の四辺の縁を、左回りと右回りの２個のスライダーを設けた亦左回り右回り共に開金具を設けた「オープンファスナー」で以てかがれるようにして、電気毛布のくちゃくちゃに捲れるのを、布団の厚さによる捲れなさを利用して、両者を一体化することで以て防止しうるようにした、電気毛布防捲用包布。
なお、この電気毛布防捲用包布の布は、キャラコ、ブロード、ネル、ベッチン、コーデュロイなどの綿布や、ビロード、フラノ、ケット（毛布）地などの毛織物などの天然繊維素材製品を主としたい。
【請求項３】
「請求項２」における電気毛布防捲用包布において、その四辺の縁の内、首に当る辺は、下布の端を上布の端より長くして、下布の端の内側にオープンファスナーを縫い付けて、閉じた場合に、下布の端が上布の端より外に出ているようにし、その出た下布の端を上布に向けて折り返して、オープンファスナー、マジックテープ、ボタンなどで以て上布に固定するようにして、首にオープンファスナーが当るのを防止した、電気毛布防捲用包布。
【請求項４】
「請求項２」における「電気毛布防捲用包布」において、オープンファスナーのスライダーを１個とし、また開金具も１個とした、電気毛布を使用しないで布団だけに用いる場合の、掛け布団用あるいは敷き布団用の包装簡易化包布。
【請求項５】
「請求項３」における「電気毛布防捲用包布」においても、オープンファスナーのスライダーと開金具とを各々１個とした、電気毛布を使用しないで布団だけに用いる場合の、掛け布団用の包装簡易化包布。
【請求項６】
「請求項４」における［敷き布団用の包装簡易化包布」において、上布を藺草の畳表で以てした、敷き布団用の包装簡易化包布。事件の表示発明の名称掛け布団・電気毛布重ね入れ用包布